(57)【要約】      （修正有）【課題】手首に容易に着脱でき、且つ簡単な構成で金属アレルギーを持つ人にも装着可能な身飾品を提供する。【解決手段】身飾品１は、シリコン製の線状体１１、装飾体１３及び連結体１５ａ、１５ｂを有する。連結体１５ａは、第１の凸部２１ａと、第１の有底筒体２３ａと、連結部２５ａから構成されている。第１の有底筒体２３ａの凹部には、線状体１１の一端付近の外周が嵌め込まれる。第１の凸部２１ａは、その根元辺りから屈曲している。連結体１５ａは、第１の凸部２１ａを線状体１１の一端のチューブ穴に挿入して線状体１１の一端に固定される。【選択図】図１
0003224771.tif 000002
【実用新案登録請求の範囲】
【請求項１】
チューブ状の伸縮可能な線状体と、
装飾体と、
前記装飾体の一端に設けられ、前記線状体の一端のチューブ穴に挿入して固定される第１の凸部と、
前記装飾体の他端に設けられ、前記線状体の他端のチューブ穴に挿入して固定される第２の凸部と
を有し、
前記線状体と前記装飾体とによってリング状に形成さている
身飾品。
【請求項２】
前記第１の凸部と前記第２の凸部とは、前記リング状に沿うように所定箇所で屈曲した線状をしている
請求項１に記載の身飾品。
【請求項３】
前記第１の凸部の一端が固定される内底部と、当該内底部を囲むように位置し前記一端のチューブの端部付近の外周が嵌め込まれる凹部とを有し、前記装飾体の一端に設けられた第１の有底筒体と、
前記第２の凸部の一端が固定される内底部と、当該内底部を囲むように位置し前記他端のチューブの端部付近の外周が嵌め込まれる凹部とを有し、前記装飾体の他端に設けられた第２の有底筒体と
を有し、
前記線状体は、シリコン製である
請求項１又は請求項２に記載の身飾品。
【請求項４】
第１の前記線状体及び第２の前記線状体と、
前記第１の線状体及び前記第２の線状体がそれぞれ固定される２つの前記第１の凸部と、
前記第１の線状体及び前記第２の線状体がそれぞれ固定される２つの前記第２の凸部と
を有する請求項１〜３のいずれかに記載の身飾品。
【考案の詳細な説明】
【技術分野】
【０００１】
本考案は、ブレスレッドや指輪、ネックレスなどの身飾品に関するものである。
【背景技術】
【０００２】
ブレスレッドは、例えば金属製のリング状の線状体と、着脱時に開状態となり手首に装着されているときに手首から落ちないように閉状態となるように留める金属製の留め具とで構成されている。
【考案の概要】
【考案が解決しようとする課題】
【０００３】
しかしながら、ブレスレッド等は、金属製であることが多く、金属アレルギーを持つ人は装着が難しいという問題がある。
また、留め具がなくても、手首に容易に着脱でき、且つ簡単な構成が望まれている。
【０００４】
本考案はかかる事情に鑑みてなされたものであり、その目的は、留め具がなくても、手首に容易に着脱でき、且つ簡単な構成の身飾品を提供することにある。
また、本考案は、金属アレルギーを持つ人でも装着可能な身飾品を提供することを目的とする。
【課題を解決するための手段】
【０００５】
上述した従来技術の問題点を解決し、上述した目的を達成するために、本考案の身飾品は、チューブ状の伸縮可能な線状体と、装飾体と、前記装飾体の一端に設けられ、前記線状体の一端のチューブ穴に挿入して固定される第１の凸部と、前記装飾体の他端に設けられ、前記線状体の他端のチューブ穴に挿入して固定される第２の凸部とを有し、前記線状体と前記装飾体とによってリング状に形成さている。
【０００６】
好適には、前記第１の凸部と前記第２の凸部とは、前記リング状に沿って傾いた線状をしている。
【０００７】
好適には、前記第１の凸部の一端が固定される内底部と、当該内底部を囲むように位置し前記一端のチューブの外周が嵌め込まれる凹部とを有し、前記装飾体の一端に設けられた第１の有底筒体と、前記第２の凸部の一端が固定される内底部と、当該内底部を囲むように位置し前記他端のチューブの外周が嵌め込まれる凹部とを有し、前記装飾体の他端に設けられた第２の有底筒体とを有し、前記線状体は、シリコン製である。
【０００８】
好適には、第１の前記線状体及び第２の前記線状体と、前記第１の線状体及び前記第２の線状体がそれぞれ固定される２つの前記第１の凸部と、前記第１の線状体及び前記第２の線状体がそれぞれ固定される２つの前記第２の凸部とを有する。
【考案の効果】
【０００９】
本考案によれば、留め具がなくても、手首に容易に着脱でき、且つ簡単な構成の身飾品を提供することができる。
また、本考案によれば、金属アレルギーを持つ人でも装着可能な身飾品を提供することができる。
【図面の簡単な説明】
【００１０】
【図１】図１は、本考案の第１実施形態の身飾品の線状体の一端と連結体とを分離した状態の斜視図である。
【図２】図２は、図１に示す線状体と装飾体とを連結する連結部の正面図である。
【図３】図３は、図２に示す連結体のＡ−Ａ断面図である。
【図４】図４は、図２に示す連結体の有底筒体の外観図である。
【図５】図５は、図１に示す身飾品の線状体と装飾体とを結合した状態の斜視図である。
【図６】図６は、本考案の第２実施形態の身飾品の線状体の一端と連結体とを分離した状態の斜視図である。
【図７】図７は、図６に示す身飾品の連結体を説明するための斜視図である。
【考案を実施するための形態】
【００１１】
以下、本考案の実施形態に係る身飾品について説明する。
＜第１実施形態＞
図１は、本考案の第１実施形態の身飾品１の線状体１１の一端と連結体１５ｂとを分離した状態の斜視図である。図２は、図１に示す線状体１１と装飾体１３とを連結する連結部１５ｂの正面図である。図３は、図２に示す連結体１５ｂのＡ−Ａ断面図である。図４は、図２に示す連結体１５ｂの有底筒体の外観図である。図５は、図１に示す身飾品１の線状体１１と連結体１５ｂとを結合した状態の斜視図である。
【００１２】
図１に示すように、身飾品１は、例えば、線状体１１、装飾体１３及び連結体１５ａ，１５ｂを有する。
【００１３】
線状体１１は、例えば、伸縮可能な中空形状をしている。線状体１１は、例えば、シリコン製である。
【００１４】
装飾体１３は、例えば装飾美を発揮するものであり、特に形状は限定されない。
【００１５】
図３に示すように、連結体１５ａは、例えば、第１の凸部２１ａと、第１の有底筒体２３ａと、連結部２５ａから構成されている。
図４に示すように、連結体１５ａの第１の有底筒体２３ａの内底部２３ａ１の中心付近には、外側に向けて伸びた第１の凸部２１ａが形成されている。
第１の有底筒体２３ａの凹部には、線状体１１の一端付近の外周が嵌め込まれる。
第１の凸部２１ａの外径は、外力が加わっていない状態での線状体１１の外径より大きく、第１の凸部２１ａは線状体１１の穴を押し広げた状態で、その内部に着脱可能に固定されている。
【００１６】
図１、図３及び図５に示すように、第１の凸部２１ａは、その根元辺りから屈曲している。すなわち、第１の凸部２１ａは、身飾品１が形成するリング状に沿って傾いた線状をしている。
連結体１５ａは、第１の凸部２１ａを線状体１１の一端のチューブ穴に挿入して線状体１１の一端に固定される（嵌め込まれる）。
【００１７】
また、連結部２５ｂは、上述した連結部２５ａと同じ形状をしている。
線状体１１、装飾体１３、連結体１５ａ，１５ｂによってリングが形成されている。
線状体１１に外力を加えていない状態で、上記リンクの内径は一般のユーザの手の幅より短い。また、線状体１１の開口部を広げる向きに手で力を加えると、上記ユーザの手の幅より広い内径になるように構成されている。
【００１８】
以下、身飾品１の使用方法について説明する。
ユーザは、身飾品１を手首に装着する際に、線状体１１にその開口部を広げる方向に力を加え開口部を手が通る内径まで広げた状態で手を通す。
そして、力を解除し、線状体１１の開口部を元の内径に戻す。これより、手首から身飾品１が外れないようにできる。
【００１９】
以上説明したように、身飾品１によれば、留め具がなくても、手首に容易に着脱でき、且つ簡単な構成にできる。
また、本考案は、手首の接触面積が比較的広い線状体１１がシリコン製であるため、金属アレルギーを持つ人でも使用可能である。
【００２０】
＜第２実施形態＞
図６は、本考案の第２実施形態の身飾品１０１の線状体１１の一端と連結体１１５ａとを分離した状態の斜視図である。図７は、図６に示す身飾品１０１の連結体１１５ａを説明するための斜視図である。
【００２１】
図６及び図７に示すように、身飾品１０１は、線状体１１−１，１１−２、装飾体１１３及び連結体１１５ａ，１１５ｂから構成されている。
連結体１１５ａは、例えば、２本の第１の凸部１２１−１ａ，１２１−２ａと、第１の有底筒体１２３ａと、連結部１２５ａから構成されている。
【００２２】
連結体１１５ａは、第１の有底筒体１２３ａの内底部から２本の第１の凸部１２１−１ａ，１２１−２ａが突き出した構成をしている。
連結体１１５ｂは、第２の有底筒体１２３ｂの内底部から２本の第２の凸部１２１−１ｂ，１２１−２ｂが突き出した構成をしている。
【００２３】
第１の凸部１２１−１ａ，１２１−２ａは、それぞれ線状体１１−１の一端の２つのチューブ穴に挿入して固定される（嵌め込まれ）。
第２の凸部１２１−１ｂ，１２１−２ｂは、それぞれ線状体１１−１の他端の２つのチューブ穴に挿入して固定される。
第１の凸部１２１−１ａ，１２１−２ａは及び第２の凸部１２１−１ｂ，１２１−２ｂは、第１実施形態の凸部と同様に、その根元辺りから屈曲している。すなわち身飾品１０１が形成するリング状に沿って傾いた線状をしている。
【００２４】
身飾品１０１では、２本の線状体１１−１，１１−２を用い、それらの端部を２本の第１の凸部１２１−１ａ，１２１−２ａと２本の第２の凸部１２１−１ｂ，１２１−２ｂとに挿入して固定する。そのため、第１実施形態の効果を得ながら、第１実施形態とは異なる美観を提供することができる。
【００２５】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００２６】
例えば、身飾品１,１０１の形状は一例であり、考案の範囲内において改変可能である。
【産業上の利用可能性】
【００２７】
本考案は、ブレスレッド等の身飾品に適用可能である。
【符号の説明】
【００２８】
１,１０１…身飾品
１１, １１−１，１１−２…線状体
１３…装飾体
１５ａ，１５ｂ…連結体
２１ａ…第１の凸部
２１ｂ…第２の凸部
２３ａ…第１の有底筒体
２３ｂ…第２の有底筒体
２５ａ…連結部
２５ｂ…連結部
１２１−１ａ，１２１−２ａ…第１の凸部
１２１−１ｂ，１２１−２ｂ…第２の凸部
１２３ａ…第１の有底筒体
１２３ｂ…第２の有底筒体
１２５ａ…連結部
【図１】
0003224771.tif 000003
【図２】
0003224771.tif 000004
【図３】
0003224771.tif 000005
【図４】
0003224771.tif 000006
【図５】
0003224771.tif 000007
【図６】
0003224771.tif 000008
【図７】
0003224771.tif 000009